(57)【特許請求の範囲】
【請求項１】
排水口５に取り付けられるヘアーキャッチャー構造であって、
排水口５に取り付けられるフレーム部１と、
フレーム部１を排水口５から着脱する為に使用者が掴む取っ手部２と、
フレーム部１内に、排水するための開口である排水開口を構成し、且つ排水中のゴミなどを捕集する捕集部３と、
を構成するとともに、
前記フレーム部１に形成されて、排水口５の上面に当接するか、又は、排水口５の上面との間に誤差の許容範囲程度に遊びの隙間を構成し、且つ取っ手部２と対向する位置に構成した、フレーム部１が排水口５の適切な位置に配置されるように導くガイド部４と、からなり、
前記ガイド部４の構造は、断面視フレーム部１の上面から立ち上がりつつ外側に向かって延出して構成されたことを特徴とするヘアーキャッチャー構造。
【請求項２】
排水口５に取り付けられるヘアーキャッチャー構造であって、
排水口５に取り付けられるフレーム部１と、
フレーム部１を排水口５から着脱する為に使用者が掴む取っ手部２と、
フレーム部１内に、排水するための開口である排水開口を構成し、且つ排水中のゴミなどを捕集する捕集部３と、
を構成するとともに、
前記フレーム部１に形成されて、排水口５の上面に当接するか、又は、排水口５の上面との間に誤差の許容範囲程度に遊びの隙間を構成し、且つ取っ手部２の近傍に構成した、フレーム部１が排水口５の適切な位置に配置されるように導くガイド部４と、からなり、
前記ガイド部４は、取っ手部２の上端より下方に位置し、尚かつ断面視フレーム部１の上面又は取っ手部２側面から外側方向に向かって延出して構成されたことを特徴とするヘアーキャッチャー構造。
【請求項３】
排水口５に取り付けられるヘアーキャッチャー構造であって、
排水口５に取り付けられるフレーム部１と、
フレーム部１を排水口５から着脱する為に使用者が掴む取っ手部２と、
フレーム部１内に、排水するための開口である排水開口を構成し、且つ排水中のゴミなどを捕集する捕集部３と、
を構成するとともに、
前記フレーム部１に形成されて、排水口５の上面に当接するか、又は、排水口５の上面との間に誤差の許容範囲程度に遊びの隙間を構成し、且つ取っ手部２の最も遠い箇所に構成した、フレーム部１が排水口５の適切な位置に配置されるように導くガイド部４と、からなり、
前記ガイド部４の構造は、断面視フレーム部１の上面から立ち上がりつつ外側に向かって延出して構成されたことを特徴とするヘアーキャッチャー構造。
【請求項４】
前記フレーム部１上であって、且つ取っ手部２の近傍に構成し、
取っ手部２の上端より下方に位置し、尚かつ断面視フレーム部１の上面又は取っ手部２側面から外側方向に向かって延出して構成されると共に、
フレーム部１の外周面から側方に飛び出す部分は、排水口５の上面に当接するか、又は、誤差の許容範囲程度に遊びの隙間を構成した第２ガイド部４１を構成したことを特徴とする前記請求項１又は請求項３に記載のヘアーキャッチャー構造。
【請求項５】
前記フレーム部１の上面視、取っ手部２の対称位置に、更に取っ手部２とガイド部４を構成したことを特徴とする前記請求項２に記載のヘアーキャッチャー構造。
【請求項６】
前記フレーム部１に、前記排水口５と係合する係合部１２を構成したことを特徴とする前記請求項１乃至請求項５のいずれか一つに記載のヘアーキャッチャー構造。
【請求項７】
前記排水口５内周面に前記フレーム部１を排水口５に取り付けるための凸部５１又は凹部を構成したことを特徴とする前記請求項１乃至請求項６のいずれか一つに記載のヘアーキャッチャー構造。
【発明の詳細な説明】
【技術分野】
【０００１】
本発明は、浴槽や浴室、流し台、洗面台などの、排水口に取り付けられる、ヘアーキャッチャー構造に関するものである。
【背景技術】
【０００２】
本従来例のヘアーキャッチャー構造は、浴槽が備えられる浴室の排水口に用いられる。
この浴室は、浴槽と、使用者が体を洗う洗い場パンと、洗い場パンの横に載置される、上部に浴槽が載置される浴槽パンと、浴槽パンに設けられるエルボ部材と、洗い場パンに設けられる排水トラップと、から構成される。
浴槽は、底部に排水用の開口を設けた箱体状の槽体であって、浴槽パンの上に載置される。また、浴槽の開口は、浴槽パンの開口まで連接されており、浴槽内の排水は、浴槽パンの開口へと排水される。
洗い場パンは、使用者が体を洗う場所として使用する防水パンであって、底部に排水口が開口されている。よって、洗い場パンの排水は当該排水口から下流へと排水される。また、当該排水口には排水トラップが備えられる。
浴槽パンは、洗い場パンの横に設置される防水パンであって、上部に浴槽を載置し、底部に開口を構成している。該開口には、エルボ部材が備えられる。また、浴槽パン上に発生した排水は、浴槽パンの開口から下流へと排水される。また、浴槽パンに載置された浴槽の排水も、当該開口から下流へと排水される。
排水トラップは、内部に排水の一部を貯水して封水を形成し、下水下流の害虫や臭気を室内側へ逆流することを防ぐ部材である。
また、排水トラップは、フランジ部材と、本体と、防臭パイプから構成される。
フランジ部材は、上端が鍔状に外側方向に向かって延出するリング体であって、外周に雄ねじを構成する。また、内周には、防臭パイプと、後述するヘアーキャッチャーを取り付けるための凸部を複数構成している。
本体は、内部に排水の一部を貯水する空間を設け、上部に排水が流入する流入口を構成し、本体側面には、貯水した排水を下水へと排水するための排出口を構成する。尚、流入口内周面には前記フランジ部材の雄ねじと螺合する雌ねじを構成している。また、本体側面は枝管を開口して備え、当該枝管は浴槽パンのエルボ部材に管体を介して接続するので、エルボ部材内の排水は排水トラップ内へと排水されることとなる。
防臭パイプは、前記排水口（フランジ部材）の内周面に構成された凸部に着脱自在に取り付けられる筒状の部材であって、その下端を排水トラップの封水内に配置し、排水トラップの本体と協同して封水を構成する。
また、排水トラップは洗い場パンの排水口に以下のように取り付けられている。洗い場パンの排水口の上方からフランジ部材を差し込み、フランジ部材の鍔を洗い場パンの排水口付近の床面に係止させる。そして、洗い場パンの裏面から排水トラップ本体の流入口の雌ねじをフランジ部材の雄ねじに螺合させる。そうすると、フランジ部材の鍔と、排水トラップの本体上面の間に、洗い場パンの排水口付近が位置するので、フランジ部材と排水トラップ本体によって洗い場パン排水口付近を挟みつつ排水トラップを排水口に取り付けることができる。また、排水トラップを洗い場パンに取り付け後の状態では、フランジ部材内周面が「排水口」となる。
エルボ部材は、浴槽パンの開口裏面に取り付けられる断面視Ｌ字状の部材である。又、エルボ部材は、浴槽パン上に発生した排水と、浴槽内の排水をまとめて下流へと排水する部材である。エルボ部材は排水トラップの枝管に接続されるので、浴槽パンの開口からエルボ部材内に流入した排水は、エルボ部材内から排水トラップ枝管へと排水される。
また、本従来例のヘアーキャッチャーは、前記浴室の排水口に取り付けられる。
本従来例のヘアーキャッチャー構造は、フレーム部と、回転ロック部と、取っ手部と、捕集部と、から構成される。
フレーム部は、排水口内周面に着脱自在に取り付けられる上面視円形状の枠体である。また、フレーム部は、排水口に取り付けられた際は、その上面が排水口と略同一となるように取り付けられる。
回転ロック部は、フレーム部を排水口に着脱自在に取り付ける為に備えられる。
また、回転ロック部は、フレーム部外周に嵌入溝を構成し、前記排水口内周面の凸部がこの嵌入溝に嵌り、フレーム部を回転させることで、凸部と嵌入溝が嵌合して取り付けられる。また、取り外す際には取り付け時と逆回転にフレーム部を回転させることで、凸部と嵌入溝のロックが解除され、簡単に排水口からフレーム部を取り外すことができる。
取っ手部は、フレーム部上面から、上方に向かって延出し、さらにその上端を外周方向の側方に向かって延出して構成される。当該取っ手部を使用者が掴み、回転させることで、フレーム部の回転ロック部と排水口の凸部の回転ロックをロック／解除する事ができる。回転ロック部をロック／解除させることで、結果的に排水口からヘアーキャッチャーを脱着させることができる。
捕集部は、フレーム部内に段状に構成され、排水が通過する為の排水開口を複数構成している。当該捕集部により、排水中の髪の毛や排水ゴミを捕集することができる。
【０００３】
上記の従来例である浴室は以下のような排水の流れとなる。
浴槽内の排水は、浴槽底部の開口から浴槽パンの開口を介してエルボ部材内に排水される。
浴槽パン上に発生した排水は、浴槽パンの開口からエルボ部材内に排水される。
エルボ部材は、浴槽からの排水と、浴槽パン上からの排水が流入される。エルボ部材内の排水は、下流を排水トラップ枝管に接続しているので、排水トラップの枝管へと排水される。
洗い場パン上に発生した排水は、洗い場の排水口から排水トラップへと排水される。
排水トラップは、エルボ部材からの排水と、洗い場パン上からの排水が流入する。エルボ部材からの排水は枝管から、洗い場パン上の排水は排水口から、それぞれ流入する。排水トラップ内の排水は、流出口から排水トラップ外部へと排水され、最終的には下水管へと排水される。
【０００４】
また、上述のヘアーキャッチャーは、排水口に着脱自在に取り付けられる。使用法としては、使用者がヘアーキャッチャーの取っ手部を掴んで操作することにより、排水口に対してヘアーキャッチャーを取り付けたり、取り外したりすることが可能である。
排水口にヘアーキャッチャーを取り付ける時は、ヘアーキャッチャーの取っ手部を使用者が掴み、排水口内の凸部にヘアーキャッチャーのフレーム部の回転ロック部の嵌入溝が嵌るように差し込む。そして、取っ手部を摘んで回転させると、嵌入溝に凸部が係合し、排水口とヘアーキャッチャーの取り付けが完了する。回転ロック部のロックが終了すると、排水口にヘアーキャッチャーは取り付けられる。また、このとき、ヘアーキャッチャーの取っ手部の、外側方向に延出する部分は、排水口上面より上方に位置する。また、排水口にヘアーキャッチャーを取り付けた際、フレーム部上面は、排水口上面と略同一、もしくは、誤差の許容範囲程度に排水口上面より下面に位置する。
排水口からヘアーキャッチャーを取り外す時は、ヘアーキャッチャーの取っ手部を使用者が掴み、ロック時の回転方向とは逆方向に回転させる。そうすると、フレーム部の回転ロック部の嵌入溝と排水口の凸部の係合が解除され、排水口からヘアーキャッチャーを取り外すことができる。この後、使用者はヘアーキャッチャーの捕集部に捕集された排水ゴミや髪の毛を捨てたり清掃することができる。
【先行技術文献】
【特許文献】
【０００５】
【特許文献１】特開２０１１−２１４１２号
【発明の概要】
【発明が解決しようとする課題】
【０００６】
従来例のへアーキャッチャーでは以下のような問題があった。
排水口に着脱自在に取り付けられるヘアーキャッチャーは、使用者が脱着しやすいように取っ手部を構成することが多い。そうすると、脱着時の使用者の取っ手掴み操作により、排水口とヘアーキャッチャーの取り付け方向に方向性が発生する。この、取り付け時の方向性とは、取っ手部の形状により発生する物であり、取っ手部の位置と掴み方によって、排水口に対してヘアーキャッチャーの取り付け方向が決まることになる。
ところが、従来例のヘアーキャッチャー構造は、定まった方向に合わせて取付をスムーズに行うための構成が無い為、非常に取り付けにくかった。具体的には、取り付け開始時、使用者は取っ手部を掴み排水口に嵌め込むが、その際の位置決めガイドなどが無いためフレーム部が排水口内部に落ち込み、取り付けにくい。また、取り付け終了時にヘアーキャッチャーを強く押し込みすぎて排水口からヘアーキャッチャーが脱落する場合があった。また、排水口内周面には、ヘアーキャッチャーを取り付けるための凸部又は凹部が複数構成されるが、排水口にヘアーキャッチャーを嵌め込む際、フレーム部外周がこの凸部又は凹部に引っかかってしまい、取り付け挿入の操作を阻害してしまい、非常に取り付けにくかった。
また、排水口にヘアーキャッチャーを取り付け後、使用者がヘアーキャッチャーを踏んでしまったり、重い荷重がヘアーキャッチャーに加わった際に、ヘアーキャッチャーと排水口の取り付け構造だけでは排水口からヘアーキャッチャーが脱落して、嵌り込みすぎるようなことがあった。このように排水口からヘアーキャッチャーが落ち込んでしまうと、こんどは使用者がヘアーキャッチャーを引き上げなければならないので、非常に取り出しにくかった。
【０００７】
以上のことから、本願発明は以下の課題を解決する。
１．ヘアーキャッチャーを排水口に取り付け開始時の入れにくさ・嵌め込みにくさを解消する。
２．ヘアーキャッチャーを排水口に取り付け後の嵌め込みすぎ・脱落を解消する。
３．排水口内部に構成された凸部や凹部にヘアーキャッチャーのフレーム部があたってしまうことによる、取り付け阻害を防止する。
４．排水口に取り付けられたヘアーキャッチャーに荷重が加わって、ヘアーキャッチャーが排水口から脱落してしまうことを防止する。
【課題を解決するための手段】
【０００８】
請求項１に記載のヘアーキャッチャー構造は、排水口５に取り付けられるヘアーキャッチャー構造であって、
排水口５に取り付けられるフレーム部１と、
フレーム部１を排水口５から着脱する為に使用者が掴む取っ手部２と、
フレーム部１内に、排水するための開口である排水開口を構成し、且つ排水中のゴミなどを捕集する捕集部３と、
を構成するとともに、
前記フレーム部１に形成されて、排水口５の上面に当接するか、又は、排水口５の上面との間に誤差の許容範囲程度に遊びの隙間を構成し、且つ取っ手部２と対向する位置に構成した、フレーム部１が排水口５の適切な位置に配置されるように導くガイド部４と、からなり、
前記ガイド部４の構造は、断面視フレーム部１の上面から立ち上がりつつ外側に向かって延出して構成されたことを特徴とするヘアーキャッチャー構造である。
【０００９】
請求項２に記載のヘアーキャッチャー構造は、排水口５に取り付けられるヘアーキャッチャー構造であって、
排水口５に取り付けられるフレーム部１と、
フレーム部１を排水口５から着脱する為に使用者が掴む取っ手部２と、
フレーム部１内に、排水するための開口である排水開口を構成し、且つ排水中のゴミなどを捕集する捕集部３と、
を構成するとともに、
前記フレーム部１に形成されて、排水口５の上面に当接するか、又は、排水口５の上面との間に誤差の許容範囲程度に遊びの隙間を構成し、且つ取っ手部２の近傍に構成した、フレーム部１が排水口５の適切な位置に配置されるように導くガイド部４と、からなり、
前記ガイド部４は、取っ手部２の上端より下方に位置し、尚かつ断面視フレーム部１の上面又は取っ手部２側面から外側方向に向かって延出して構成されたことを特徴とするヘアーキャッチャー構造である。
【００１０】
請求項３に記載のヘアーキャッチャー構造は、排水口５に取り付けられるヘアーキャッチャー構造であって、
排水口５に取り付けられるフレーム部１と、
フレーム部１を排水口５から着脱する為に使用者が掴む取っ手部２と、
フレーム部１内に、排水するための開口である排水開口を構成し、且つ排水中のゴミなどを捕集する捕集部３と、
を構成するとともに、
前記フレーム部１に形成されて、排水口５の上面に当接するか、又は、排水口５の上面との間に誤差の許容範囲程度に遊びの隙間を構成し、且つ取っ手部２の最も遠い箇所に構成した、フレーム部１が排水口５の適切な位置に配置されるように導くガイド部４と、からなり、
前記ガイド部４の構造は、断面視フレーム部１の上面から立ち上がりつつ外側に向かって延出して構成されたことを特徴とするヘアーキャッチャー構造である。
【００１１】
請求項４に記載のヘアーキャッチャー構造は、前記フレーム部１上であって、且つ取っ手部２の近傍に構成し、取っ手部２の上端より下方に位置し、尚かつ断面視フレーム部１の上面又は取っ手部２側面から外側方向に向かって延出して構成されると共に、フレーム部１の外周面から側方に飛び出す部分は、排水口５の上面に当接するか、又は、誤差の許容範囲程度に遊びの隙間を構成した第２ガイド部４１を構成したことを特徴とする前記段落０００８又は段落００１０に記載のヘアーキャッチャー構造である。
【００１２】
請求項５に記載のヘアーキャッチャー構造は、前記フレーム部１の上面視、取っ手部２の対称位置に、更に取っ手部２とガイド部４を構成したことを特徴とする前記段落０００９に記載のヘアーキャッチャー構造である。
【００１３】
請求項６に記載のヘアーキャッチャー構造は、前記フレーム部１に、前記排水口５と係合する係合部１２を構成したことを特徴とする前記段落０００８乃至段落００１２のいずれか一つに記載のヘアーキャッチャー構造である。
【００１４】
請求項７に記載のヘアーキャッチャー構造は、前記排水口５内周面に前記フレーム部１を排水口５に取り付けるための凸部５１又は凹部を構成したことを特徴とする前記段落０００８乃至段落００１３のいずれか一つに記載のヘアーキャッチャー構造である。
【発明の効果】
【００１５】
請求項１に記載の本発明は、フレーム部１上であって、且つ取っ手部２と対向する位置に構成した、フレーム部１が排水口５の適切な位置に配置されるように導くガイド部４を構成したことにより、ヘアーキャッチャーを排水口５に取り付け開始時、取り付け操作の起点となるガイドとして、排水口５にヘアーキャッチャーの取り付けガイドとしてガイド部４が機能することとなる。よって、排水口５にヘアーキャッチャーを入れやすく・嵌め込みやすくなった。
請求項２に記載の本発明は、フレーム部１上であって、且つ取っ手部２の近傍に構成した、フレーム部１が排水口５の適切な位置に配置されるように導くガイド部４を構成したことにより、ヘアーキャッチャーを排水口５に取り付け後、使用者の操作による嵌め込みすぎ・脱落を防止するガイドとして、ガイド部４が機能することとなる。よって、ヘアーキャッチャーを排水口５に取り付け後の嵌め込みすぎ・脱落を解消することができる。
請求項３に記載の本発明は、フレーム部１上であって、且つ取っ手部２の最も遠い箇所に構成した、フレーム部１が排水口５の適切な位置に配置されるように導くガイド部４を構成したことにより、ヘアーキャッチャーを排水口５に取り付け開始時、取り付け操作の起点となるガイドとして、排水口５にヘアーキャッチャーの取り付けガイドとしてガイド部４が機能することとなる。よって、排水口５にヘアーキャッチャーを入れやすく・嵌め込みやすくなった。
請求項１、請求項３に記載の本発明は、ガイド部４の構造を、断面視フレーム部１の上面から立ち上がりつつ外側方向に向かって延出して構成され、フレーム部１の外周面から側方に飛び出す部分は、排水口５の上面に当接するか、又は、誤差の許容範囲程度に遊びの隙間を構成したことにより、ヘアーキャッチャーを排水口５に取り付け開始時、取り付け操作の起点となるガイドとして、排水口５にヘアーキャッチャーの取り付けガイドとしてガイド部４が機能することとなる。よって、排水口５にヘアーキャッチャーを入れやすく・嵌め込みやすくなった。また、当該ガイド部４により排水口５に取り付けられたヘアーキャッチャーに荷重が加わっても、ガイド部４底面が排水口５上面に当接するので、ヘアーキャッチャーが排水口５から脱落してしまうことを防止する。
請求項２に記載の本発明は、ガイド部４の構成を、取っ手部２の上端より下方に位置し、尚かつ断面視フレーム部１の上面又は取っ手部２側面から外側方向に向かって延出して構成されると共に、フレーム部１の外周面から側方に飛び出す部分は、排水口５の上面に当接するか、又は、誤差の許容範囲程度に遊びの隙間を構成したガイド部４を構成したことにより、ヘアーキャッチャーを排水口５に取り付け後、使用者の操作による嵌め込みすぎ・脱落を防止するガイドとして、ガイド部４が機能することとなる。よって、ヘアーキャッチャーを排水口５に取り付け後の嵌め込みすぎ・脱落を解消することができる。また、当該ガイド部４により排水口５に取り付けられたヘアーキャッチャーに荷重が加わっても、ガイド部４底面が排水口５上面に当接するので、ヘアーキャッチャーが排水口５から脱落してしまうことを防止する。
請求項４に記載の本発明は、フレーム部１上であって、且つ取っ手部２の近傍に構成し、取っ手部２の上端より下方に位置し、尚かつ断面視フレーム部１の上面又は取っ手部２側面から外側方向に向かって延出して構成されると共に、フレーム部１の外周面から側方に飛び出す部分は、排水口５の上面に当接するか、又は、誤差の許容範囲程度に遊びの隙間を構成した第２ガイド部４１を構成したことにより、ヘアーキャッチャーを排水口５に取り付け後、使用者の操作による嵌め込みすぎ・脱落を防止するガイドとして、ガイド部４が機能することとなる。よって、ヘアーキャッチャーを排水口５に取り付け後の嵌め込みすぎ・脱落を解消することができる。
請求項５に記載の本発明は、フレーム部１の上面視、取っ手部２の対称位置に、更に取っ手部２とガイド部４を構成したことにより、取っ手部２の取り付け箇所に多様性が増え、排水口５にヘアーキャッチャーを取り付け易くなる。
請求項６に記載の本発明は、フレーム部１に、前記排水口５と係合する係合部１２を構成したことにより、排水口５とヘアーキャッチャーの取付を、ワンタッチの係合取り付けとする事ができる。
請求項７に記載の本発明は、排水口５内周面に前記フレーム部１を排水口５に取り付けるための凸部５１又は凹部を構成したことにより、既存の排水口５に凸部５１や凹部が構成されていても、本発明のヘアーキャッチャーにはガイド部４が構成されているから、排水口５内部に構成された凸部５１や凹部にヘアーキャッチャーのフレーム部１があたってしまうことをガイド部４により効果的に防止できる。
【図面の簡単な説明】
【００１６】
【図１】実施例１のヘアーキャッチャー構造を示す図である。Ａ）平面図（上面図）、Ｂ）Ａ）のＡ−Ａ’断面図、Ｃ）Ｄ）斜視図
【図２】実施例１のヘアーキャッチャーを排水口に取り付ける状態を示す図である。Ａ）取り付け開始時を示す断面図、Ｂ）取り付け終了時に押し込み力が強い場合を示す断面図、Ｃ）取り付け完了時を示す図
【図３】実施例１のヘアーキャッチャーを排水口に取り付ける前の状態を示す斜視図である。
【図４】実施例１のヘアーキャッチャーを排水口に取り付け後の状態を示す斜視図である。
【図５】実施例２のヘアーキャッチャー構造を示す図である。Ａ）平面図（上面図）、Ｂ）Ａ）のＡ−Ａ’断面図、Ｃ）Ｄ）斜視図
【図６】実施例２のヘアーキャッチャーを排水口に取り付ける状態を示す図である。Ａ）取り付け開始時を示す断面図、Ｂ）取り付け終了時に押し込み力が強い場合を示す断面図、Ｃ）取り付け完了時を示す図
【図７】その他の実施形態を示す図。取っ手部が垂直方向かつ上方に延出して構成されるヘアーキャッチャー構造を示す。Ａ）平面図（上面図）、Ｂ）Ａ）のＡ−Ａ’断面図
【図８】その他の実施形態を示す図。取っ手部がフレーム部から捕集部の中心方向に飛び出すように構成されるヘアーキャッチャー構造を示す。Ａ）平面図（上面図）、Ｂ）Ａ）のＡ−Ａ’断面図
【図９】その他の実施形態を示す図。取っ手部が捕集部に構成されるヘアーキャッチャー構造を示す。Ａ）平面図（上面図）、Ｂ）Ａ）のＡ−Ａ’断面図
【図１０】その他の実施形態を示す上面図（平面図）。矩形状のフレーム部が採用されるヘアーキャッチャー構造を示す。
【図１１】その他の実施形態を示す上面図（平面図）。矩形状のフレーム部が採用されるヘアーキャッチャー構造を示す。
【図１２】本実施例のヘアーキャッチャー構造が取り付けられる浴室構造を示す断面図である。
【発明を実施するための形態】
【実施例１】
【００１７】
本実施例のヘアーキャッチャー構造は、浴槽Ｙが備えられる浴室の排水口５に用いられる。
この浴室は、図１２に記載するように、浴槽Ｙと、使用者が体を洗う洗い場パンＡＰと、洗い場パンＡＰの横に載置される、上部に浴槽Ｙが載置される浴槽パンＹＰと、浴槽パンＹＰに設けられるエルボ部材Ｅと、洗い場パンＡＰに設けられる排水トラップ６と、から構成される。
浴槽Ｙは、底部に排水用の開口を設けた箱体状の槽体であって、浴槽パンＹＰの上に載置される。また、浴槽Ｙの開口は、浴槽パンＹＰの開口まで連接されており、浴槽Ｙ内の排水は、浴槽パンＹＰの開口へと排水される。
洗い場パンＡＰは、使用者が体を洗う場所として使用する防水パンであって、底部に排水口５が開口されている。よって、洗い場パンＡＰの排水は当該排水口５から下流へと排水される。また、当該排水口５には排水トラップ６が備えられる。
浴槽パンＹＰは、洗い場パンＡＰの横に設置される防水パンであって、上部に浴槽Ｙを載置し、底部に開口を構成している。該開口には、エルボ部材Ｅが備えられる。また、浴槽パンＹＰ上に発生した排水は、浴槽パンＹＰの開口から下流へと排水される。また、浴槽パンＹＰに載置された浴槽Ｙの排水も、当該開口から下流へと排水される。
排水トラップ６は、内部に排水の一部を貯水して封水を形成し、下水下流の害虫や臭気を室内側へ逆流することを防ぐ部材である。
また、排水トラップ６は、フランジ部材６１と、本体と、防臭パイプ６２から構成される。
フランジ部材６１は、図３に示すように上端が鍔状に外側方向に向かって延出するリング体であって、外周に雄ねじを構成する。また、内周には、防臭パイプ６２と、後述するヘアーキャッチャーを取り付けるための凸部５１を複数構成している。
本体は、内部に排水の一部を貯水する空間を設け、上部に排水が流入する流入口を構成し、本体側面には、貯水した排水を下水へと排水するための流出口６３を構成する。尚、流入口内周面には前記フランジ部材６１の雄ねじと螺合する雌ねじを構成している。また、本体側面は枝管６４を開口して備え、当該枝管６４は浴槽パンＹＰのエルボ部材Ｅに管体を介して接続するので、エルボ部材Ｅ内の排水は排水トラップ６内へと排水されることとなる。
防臭パイプ６２は、前記排水口５（フランジ部材６１）の内周面に構成された凸部５１に着脱自在に取り付けられる筒状の部材であって、その下端を排水トラップ６の封水内に配置し、排水トラップ６の本体と協同して封水を構成する。
また、排水トラップ６は洗い場パンＡＰの排水口５に以下のように取り付けられている。洗い場パンＡＰの排水口５の上方からフランジ部材６１を差し込み、フランジ部材６１の鍔を洗い場パンＡＰの排水口５付近の床面に係止させる。そして、洗い場パンＡＰの裏面から排水トラップ６本体の流入口の雌ねじをフランジ部材６１の雄ねじに螺合させる。そうすると、フランジ部材６１の鍔と、排水トラップ６の本体上面の間に、洗い場パンＡＰの排水口５付近が位置するので、フランジ部材６１と排水トラップ６本体によって洗い場パンＡＰ排水口５付近を挟みつつ排水トラップ６を排水口５に取り付けることができる。また、排水トラップ６を洗い場パンＡＰに取り付け後の状態では、図３に示すようにフランジ部材６１内周面が「排水口５」となる。
エルボ部材Ｅは、浴槽パンＹＰの開口裏面に取り付けられる断面視Ｌ字状の部材である。又、エルボ部材Ｅは、浴槽パンＹＰ上に発生した排水と、浴槽Ｙ内の排水をまとめて下流へと排水する部材である。エルボ部材Ｅは排水トラップ６の枝管６４に接続されるので、浴槽パンＹＰの開口からエルボ部材Ｅ内に流入した排水は、エルボ部材Ｅ内から排水トラップ６の枝管６４へと排水される。
また、本実施例のヘアーキャッチャーは、前記浴室の排水口５に取り付けられる。
本実施例のヘアーキャッチャー構造は、図１乃至図４に示すように、フレーム部１と、ガイド部４と、係合部１２と、取っ手部２と、第２ガイド部４１と、捕集部３と、から構成される。
フレーム部１は、排水口５内周面に着脱自在に取り付けられる上面視円形状の外周部又は枠体である。また、フレーム部１は、排水口５に取り付けられた際は、その上面が排水口５と略同一となるように取り付けられる。
ガイド部４は、フレーム部１上面から外側方向に向かって飛び出すように構成されるリブであって、ヘアーキャッチャーの一部であるフレーム部１を、排水口５の適切な位置に配置するように導くように構成する。この「適切な位置」とは、排水口５と同軸上であって、排水口５内部に嵌るように取り付ける状態を指す。また、このとき、フレーム部１上面は、排水口５上面と略同一又は、誤差の許容範囲で低い位置となるよう配置される。また、当該ガイド部４は、フレーム部１の平面視、取っ手部２と軸中心で対向する箇所に構成される。また、本実施例ではフレーム部１の上面視、取っ手部２の周方向の長さより、ガイド部４の周方向の長さを短く構成している。また、排水口５にヘアーキャッチャーを取り付けた際のガイド部４は、フレーム部１より外側方向に飛び出した部分の下面が、排水口５上面と略同一もしくは、誤差の許容範囲の隙間を備えるようにして配置される。
係合部１２は、ヘアーキャッチャーのフレーム部１を排水口５に着脱自在に取り付ける為に、フレーム部１外周に備える。当該係合部１２は、フレーム部１外周面に弾性を有した凹部として構成し、排水口５内周の凸部５１に弾性によって係合する。排水口５の凸部５１とヘアーキャッチャーの係合部１２は、弾性によって係合して取り付けられるので、使用者は、排水口５に対し垂直方向の応力で着脱することが可能となった。また、ワンタッチで排水口５に着脱することができ、簡単に排水口５からフレーム部１を取り外すことができる。
取っ手部２は、フレーム部１上面から、上方に向かって延出し、さらにその上端を外周方向の側方に向かって延出して構成される。当該取っ手部２を使用者が掴み、排水口５に対して垂直方向の応力を加えることで、排水口５とフレーム部１の着脱を可能にする。また、排水口５にヘアーキャッチャーを取り付ける際は、使用者が取っ手部２をつかみ、ヘアーキャッチャーの先端、すなわち、取っ手部２と対向する箇所のフレーム部１を先頭として排水口５内部に取付を開始する。そして、ガイド部４を排水口５に押しあて、排水口５とガイド部４の当接箇所を軸としてそのまま取っ手部２を垂直方向下方に降下させる。すると、フレーム部１が排水口５内の適切な箇所に配置されつつ、フレーム部１の係合部１２と排水口５の凸部５１が弾性により係合する。そして、後述の第２ガイド部４１が排水口５に当接し、図４に示すように、排水口５に適切に取り付けられる。また、排水口５からヘアーキャッチャーを取り外す際は、当該取っ手部２を掴み、上方に引き上げると、ガイド部４を排水口５に押しあてながら、ガイド部４と排水口５の当接箇所を軸として上方に引き上げることが可能となり、フレーム部１の係合部１２と排水口５の凸部５１の係合も簡単に少しの力で解除できる。そして、排水口５からヘアーキャッチャーを取り外すことができる。取っ手部２を操作することにより、係合部１２を係合／解除させることが可能となり、結果的に排水口５からヘアーキャッチャーを簡単に脱着させることができる。
第２ガイド部４１は、取っ手部２の近傍、すなわち本実施例では取っ手部２の外周側側面から外側方向にむかって飛び出すように構成する。また、本実施例では、取っ手部２の上端より下方に位置するように第２ガイド部４１を構成する。なお、当該第２ガイド部４１は、ヘアーキャッチャーの一部であるフレーム部１を、排水口５の適切な位置に配置するように導くように構成する。この「適切な位置」とは、排水口５と同軸上であって、排水口５内部に嵌るように取り付ける状態を指す。また、このとき、フレーム部１上面は、排水口５上面と略同一又は、誤差の許容範囲で低い位置となるよう配置される。また、本実施例ではフレーム部１の上面視、取っ手部２の周方向の長さより、第２ガイド部４１の周方向の長さを短く構成している。また、排水口５にヘアーキャッチャーを取り付けた際の第２ガイド部４１は、フレーム部１より外側方向に飛び出した部分の下面が、排水口５上面と略同一もしくは、誤差の許容範囲の隙間を備えるようにして配置される。
捕集部３は、フレーム部１内に段状に構成され、排水が通過する為の排水開口を複数構成している。当該捕集部３により、排水中の髪の毛や排水ゴミを捕集することができる。
【００１８】
上記の実施例である浴室は以下のような排水の流れとなる。
浴槽Ｙ内の排水は、浴槽Ｙ底部の開口から浴槽パンＹＰの開口を介してエルボ部材Ｅ内に排水される。
浴槽パンＹＰ上に発生した排水は、浴槽パンＹＰの開口からエルボ部材Ｅ内に排水される。
エルボ部材Ｅは、浴槽Ｙからの排水と、浴槽パンＹＰ上からの排水が流入される。エルボ部材Ｅ内の排水は、下流を排水トラップ６の枝管６４に接続しているので、排水トラップ６の枝管６４へと排水される。
洗い場パンＡＰ上に発生した排水は、洗い場の排水口５からヘアーキャッチャーを介して排水トラップ６へと排水される。
排水トラップ６は、エルボ部材Ｅからの排水と、洗い場パンＡＰ上からの排水が流入する。エルボ部材Ｅからの排水は枝管６４から、洗い場パンＡＰ上の排水は排水口５から、それぞれ流入する。排水トラップ６内の排水は、流出口６３から排水トラップ６外部へと排水され、最終的には下水管へと排水される。
【００１９】
また、上述のヘアーキャッチャーは、排水口５に着脱自在に取り付けられる。使用法としては、使用者がヘアーキャッチャーの取っ手部２を掴んで操作することにより、排水口５に対してヘアーキャッチャーを取り付けたり、取り外したりすることが可能である。
排水口５にヘアーキャッチャーを取り付ける時は、使用者がヘアーキャッチャーの取っ手部２をつかみ、ヘアーキャッチャーの先端、すなわち、取っ手部２と対向する箇所のフレーム部１を先頭として排水口５内部に取付を開始する。そして、図２Ａ）に示すように、フレーム部１の、取っ手と対向する箇所に構成されたガイド部４下面を排水口５上面に押しあて、排水口５とガイド部４の当接箇所を軸としてそのまま取っ手部２を垂直方向下方に降下させる。すると、図２Ｂ）に示すようにフレーム部１が排水口５内の適切な箇所に配置されつつ、フレーム部１の係合部１２と排水口５の凸部５１が弾性により係合する。そして、図２Ｂ）に示すように取っ手部２下方に構成された第２ガイド部４１下面が排水口５上面に当接し、排水口５に適切に取り付けられる。当該第２ガイド部４１により、使用者が強く排水口５に押し込んだ時に、図２Ｃ）に示すように第２ガイド部４１下面が排水口５上面に当接してストッパーとなるので、ヘアーキャッチャーが排水口５から脱落してしまうようなことが無い。
また、ヘアーキャッチャーを排水口５に取り付け開始時には、ガイド部４が排水口５に先に当接するようになり、当接点を軸として排水口５にヘアーキャッチャーが取り付けられる為、ヘアーキャッチャーのフレーム部１が排水口５の凸部５１に引っかかったりすることがない。よって、排水口５にヘアーキャッチャーが取り付けやすくなる。
排水口５からヘアーキャッチャーを取り外す時は、使用者がヘアーキャッチャーの取っ手部２を掴み、上方に引き上げると、ガイド部４下面が排水口５上面に押しあてつつ、ガイド部４裏面と排水口５上面の当接箇所を軸として上方に引き上げることが可能となり、結果的に梃子の原理により、フレーム部１の係合部１２と排水口５の凸部５１の係合も簡単に少しの力で解除できる。そして、排水口５からヘアーキャッチャーを取り外すことができる。ヘアーキャッチャーの取っ手部２を使用者が操作することにより、係合部１２を係合／解除させることが可能となり、結果的に排水口５からヘアーキャッチャーを簡単に脱着させることができる。
この後、使用者はヘアーキャッチャーの捕集部３に捕集された排水ゴミや髪の毛を捨てたり清掃することができる。
【実施例２】
【００２０】
本実施例のヘアーキャッチャー構造は、浴槽Ｙが備えられる浴室の排水口５に用いられる。
この浴室は、図１２に記載するように、浴槽Ｙと、使用者が体を洗う洗い場パンＡＰと、洗い場パンＡＰの横に載置される、上部に浴槽Ｙが載置される浴槽パンＹＰと、浴槽パンＹＰに設けられるエルボ部材Ｅと、洗い場パンＡＰに設けられる排水トラップ６と、から構成される。
浴槽Ｙは、底部に排水用の開口を設けた箱体状の槽体であって、浴槽パンＹＰの上に載置される。また、浴槽Ｙの開口は、浴槽パンＹＰの開口まで連接されており、浴槽Ｙ内の排水は、浴槽パンＹＰの開口へと排水される。
洗い場パンＡＰは、使用者が体を洗う場所として使用する防水パンであって、底部に排水口５が開口されている。よって、洗い場パンＡＰの排水は当該排水口５から下流へと排水される。また、当該排水口５には排水トラップ６が備えられる。
浴槽パンＹＰは、洗い場パンＡＰの横に設置される防水パンであって、上部に浴槽Ｙを載置し、底部に開口を構成している。該開口には、エルボ部材Ｅが備えられる。また、浴槽パンＹＰ上に発生した排水は、浴槽パンＹＰの開口から下流へと排水される。また、浴槽パンＹＰに載置された浴槽Ｙの排水も、当該開口から下流へと排水される。
排水トラップ６は、内部に排水の一部を貯水して封水を形成し、下水下流の害虫や臭気を室内側へ逆流することを防ぐ部材である。
また、排水トラップ６は、フランジ部材６１と、本体と、防臭パイプ６２から構成される。
フランジ部材６１は、上端が鍔状に外側方向に向かって延出するリング体であって、外周に雄ねじを構成する。また、内周には、防臭パイプ６２と、後述するヘアーキャッチャーを取り付けるための凸部５１を複数構成している。
本体は、内部に排水の一部を貯水する空間を設け、上部に排水が流入する流入口を構成し、本体側面には、貯水した排水を下水へと排水するための流出口６３を構成する。尚、流入口内周面には前記フランジ部材６１の雄ねじと螺合する雌ねじを構成している。また、本体側面は枝管６４を開口して備え、当該枝管６４は浴槽パンＹＰのエルボ部材Ｅに管体を介して接続するので、エルボ部材Ｅ内の排水は排水トラップ６内へと排水されることとなる。
防臭パイプ６２は、前記排水口５（フランジ部材６１）の内周面に構成された凸部５１に着脱自在に取り付けられる筒状の部材であって、その下端を排水トラップ６の封水内に配置し、排水トラップ６の本体と協同して封水を構成する。
また、排水トラップ６は洗い場パンＡＰの排水口５に以下のように取り付けられている。洗い場パンＡＰの排水口５の上方からフランジ部材６１を差し込み、フランジ部材６１の鍔を洗い場パンＡＰの排水口５付近の床面に係止させる。そして、洗い場パンＡＰの裏面から排水トラップ６本体の流入口の雌ねじをフランジ部材６１の雄ねじに螺合させる。そうすると、フランジ部材６１の鍔と、排水トラップ６の本体上面の間に、洗い場パンＡＰの排水口５付近が位置するので、フランジ部材６１と排水トラップ６本体によって洗い場パンＡＰ排水口５付近を挟みつつ排水トラップ６を排水口５に取り付けることができる。また、排水トラップ６を洗い場パンＡＰに取り付け後の状態では、フランジ部材６１内周面が「排水口５」となる。
エルボ部材Ｅは、浴槽パンＹＰの開口裏面に取り付けられる断面視Ｌ字状の部材である。又、エルボ部材Ｅは、浴槽パンＹＰ上に発生した排水と、浴槽Ｙ内の排水をまとめて下流へと排水する部材である。エルボ部材Ｅは排水トラップ６の枝管６４に接続されるので、浴槽パンＹＰの開口からエルボ部材Ｅ内に流入した排水は、エルボ部材Ｅ内から排水トラップ６枝管６４へと排水される。
また、本実施例のヘアーキャッチャーは、前記浴室の排水口５に取り付けられる。
本実施例のヘアーキャッチャー構造は、図５乃至図６に示すように、フレーム部１と、ガイド部４と、係合部１２と、複数の取っ手部２と、捕集部３と、から構成される。
フレーム部１は、排水口５内周面に着脱自在に取り付けられる上面視円形状の外周部又は枠体である。また、フレーム部１は、排水口５に取り付けられた際は、その上面が排水口５と略同一となるように取り付けられる。
ガイド部４は、取っ手部２の近傍、すなわち本実施例では取っ手部２の外周側側面から外側方向にむかって飛び出すように構成する。また、当該ガイド部４は、ヘアーキャッチャーの一部であるフレーム部１を、排水口５の適切な位置に配置するように導くように構成する。この「適切な位置」とは、排水口５と同軸上であって、排水口５内部に嵌るように取り付ける状態を指す。また、このとき、フレーム部１上面は、排水口５上面と略同一又は、誤差の許容範囲で低い位置となるよう配置される。また、当該ガイド部４は、フレーム部１の上面視、取っ手部２の周方向の長さより、ガイド部４の周方向の長さを短く構成している。また、排水口５にヘアーキャッチャーを取り付けた際のガイド部４は、フレーム部１より外側方向に飛び出した部分の下面が、排水口５上面と略同一もしくは、誤差の許容範囲の隙間を備えるようにして配置される。
係合部１２は、ヘアーキャッチャーのフレーム部１を排水口５に着脱自在に取り付ける為に、フレーム部１外周に備える。当該係合部１２は、フレーム部１外周面に弾性を有した凹部として構成し、排水口５内周の凸部５１に弾性によって係合する。排水口５の凸部５１とヘアーキャッチャーの係合部１２は、弾性によって係合して取り付けられるので、使用者は、排水口５に対し垂直方向の応力で着脱することが可能となった。また、ワンタッチで排水口５に着脱することができ、簡単に排水口５からフレーム部１を取り外すことができる。
取っ手部２は、フレーム部１上面から、上方に向かって延出し、さらにその上端を外周方向の側方に向かって延出して構成される。また、本実施例では、取っ手部２のフレーム部１の上面視軸中心に対向する位置に、もう一つ取っ手部２を構成して成る。当該取っ手を複数構成することで、取っ手部２を増加した分、使用者の取っ手掴み方向の選択肢が増えることとなり、使用者にとっては便利となる。また、本実施例では、両方の取っ手部２近傍に、共にガイド部４を構成している。
また、当該取っ手部２を適宜選択して使用者が掴み、排水口５に対して垂直方向の応力を加えることで、排水口５とフレーム部１の着脱を可能にする。また、排水口５にヘアーキャッチャーを取り付ける際は、使用者がいずれかの取っ手部２を選択してつかみ、ヘアーキャッチャーの先端、すなわち、取っ手部２と対向する他方の箇所の取っ手部２近傍のフレーム部１を先頭として排水口５内部に取付を開始する。そして、使用者が掴んだ取っ手部２とは他方の取っ手部２近傍に構成されたガイド部４を排水口５に押しあて、排水口５上面とガイド部４下面の当接箇所を軸としてそのまま掴んだ方の取っ手部２を垂直方向下方に降下させる。すると、フレーム部１が排水口５内の適切な箇所に配置されつつ、フレーム部１の係合部１２と排水口５の凸部５１が弾性により係合する。そして、使用者が掴んでいる方の取っ手部２近傍のガイド部４が排水口５に当接し、排水口５に適切に取り付けられる。このとき、使用者が強い力で押し込んでしまっても、当該ガイド部４により排水口５からヘアーキャッチャーが脱落してしまうようなことはない。また、排水口５からヘアーキャッチャーを取り外す際は、適宜選択して取っ手部２を掴み、上方に引き上げると、掴んだ取っ手部２とは他方のガイド部４が排水口５に押しあてながら、ガイド部４と排水口５の当接箇所を軸として上方に引き上げることが可能となり、梃子の原理によりフレーム部１の係合部１２と排水口５の凸部５１の係合も簡単に少しの力で解除できる。そして、排水口５からヘアーキャッチャーを取り外すことができる。取っ手部２を操作することにより、係合部１２を係合／解除させることが可能となり、結果的に排水口５からヘアーキャッチャーを簡単に脱着させることができる。
また、ガイド部４は、複数の取っ手部２の近傍それぞれに、すなわち本実施例では取っ手部２の外周側側面から外側方向にむかって飛び出すように構成する。本実施例では、取っ手部２の上端より下方に位置するようにガイド部４を構成する。なお、ガイド部４は、ヘアーキャッチャーの一部であるフレーム部１を、排水口５の適切な位置に配置するように導くように構成する。この「適切な位置」とは、排水口５と同軸上であって、排水口５内部に嵌るように取り付ける状態を指す。また、このとき、フレーム部１上面は、排水口５上面と略同一又は、誤差の許容範囲で低い位置となるよう配置される。また、本実施例ではフレーム部１の上面視、取っ手部２の周方向の長さより、ガイド部４の周方向の長さを短く構成している。また、排水口５にヘアーキャッチャーを取り付けた際の第２ガイド部４１は、フレーム部１より外側方向に飛び出した部分の下面が、排水口５上面と略同一もしくは、誤差の許容範囲の隙間を備えるようにして配置される。
捕集部３は、フレーム部１内に段状に構成され、排水が通過する為の排水開口を複数構成している。当該捕集部３により、排水中の髪の毛や排水ゴミを捕集することができる。
【００２１】
上記の実施例である浴室は以下のような排水の流れとなる。
浴槽Ｙ内の排水は、浴槽Ｙ底部の開口から浴槽パンＹＰの開口を介してエルボ部材Ｅ内に排水される。
浴槽パンＹＰ上に発生した排水は、浴槽パンＹＰの開口からエルボ部材Ｅ内に排水される。
エルボ部材Ｅは、浴槽Ｙからの排水と、浴槽パンＹＰ上からの排水が流入される。エルボ部材Ｅ内の排水は、下流を排水トラップ６の枝管６４に接続しているので、排水トラップ６の枝管６４へと排水される。
洗い場パンＡＰ上に発生した排水は、洗い場の排水口５からヘアーキャッチャーを介して排水トラップ６へと排水される。
排水トラップ６は、エルボ部材Ｅからの排水と、洗い場パンＡＰ上からの排水が流入する。エルボ部材Ｅからの排水は枝管６４から、洗い場パンＡＰ上の排水は排水口５から、それぞれ流入する。排水トラップ６内の排水は、流出口６３から排水トラップ６外部へと排水され、最終的には下水管へと排水される。
【００２２】
また、上述のヘアーキャッチャーは、排水口５に着脱自在に取り付けられる。使用法としては、使用者がヘアーキャッチャーの取っ手部２を掴んで操作することにより、排水口５に対してヘアーキャッチャーを取り付けたり、取り外したりすることが可能である。
排水口５にヘアーキャッチャーを取り付ける時は、使用者がヘアーキャッチャーの複数ある取っ手部２の一方を適宜選択して掴み、ヘアーキャッチャーの先端、すなわち、使用者が掴んだ取っ手部２と対向する、他方の取っ手部２付近のフレーム部１を先頭として排水口５内部に挿入しつつ取付を開始する。そして、図６Ａ）に示すように、フレーム部１の、掴んだ取っ手部２と対向する他方の取っ手部２近傍に構成されたガイド部４下面を排水口５上面に押しあて、排水口５とガイド部４の当接箇所を軸としてそのまま掴んだ取っ手部２を垂直方向下方に降下させる。すると、図６Ｃ）に示すように、フレーム部１が排水口５内の適切な箇所に配置されつつ、フレーム部１の係合部１２と排水口５の凸部５１が弾性により係合する。そして、図６Ｃ）掴んでいる取っ手部２とは他方の取っ手部２近傍に構成されたガイド部４下面が排水口５上面に当接し、排水口５に適切に取り付けられる。この掴んだ取っ手部２とは他方の取っ手部２側に構成したガイド部４により、図６Ｂ）に示すような使用者が強く排水口５に押し込んだ時に、ガイド部４下面が排水口５上面に当接してストッパーとなるので、ヘアーキャッチャーが排水口５から脱落してしまうようなことが無い。
また、ヘアーキャッチャーを排水口５に取り付け開始時には、ガイド部４が排水口５に先に当接するようになり、当接点を軸として排水口５にヘアーキャッチャーが取り付けられる為、ヘアーキャッチャーのフレーム部１が排水口５の凸部５１に引っかかったりすることがない。よって、排水口５にヘアーキャッチャーが取り付けやすくなる。
排水口５からヘアーキャッチャーを取り外す時は、使用者がヘアーキャッチャーの取っ手部２を適宜選択して掴み、上方に引き上げると、掴んだ取っ手部２とは他方の取っ手部２側のガイド部４下面が排水口５上面に押しあてつつ、ガイド部４裏面と排水口５上面の当接箇所を軸として上方に引き上げることが可能となり、結果的に梃子の原理により、フレーム部１の係合部１２と排水口５の凸部５１の係合も簡単に少しの力で解除できる。そして、排水口５からヘアーキャッチャーを取り外すことができる。ヘアーキャッチャーの取っ手部２を使用者が操作することにより、係合部１２を係合／解除させることが可能となり、結果的に排水口５からヘアーキャッチャーを簡単に脱着させることができる。
この後、使用者はヘアーキャッチャーの捕集部３に捕集された排水ゴミや髪の毛を捨てたり清掃することができる。
【００２３】
本発明は前記した実施例のほか、特許請求の範囲を越えない範囲で適宜変更は可能である。
図７に示したように、取っ手部２の形状を垂直方向上方に向かって構成しても良い。また、同じく図７に示すように、ガイド部４は、取っ手部２に対向する箇所にのみ構成しても良い。また、フレーム部１は必ずしも略垂直の側壁で構成されなくても良く、図７に示すように、捕集部の肉厚程度の外側壁であっても良い。この図７の実施例では、係合部はフレーム部の下方に連接して構成される
また、図８に示すように、取っ手部２を上面視フレーム部１外周から中心方向に向かって延びるように構成しても良い。同じく図８に示すように、ガイド部４を取っ手部２近傍にのみ構成しても良い。
また、図９に示すように、取っ手部２をフレーム部１ではなく捕集部３に構成しても良い。また、同じく図９に示すガイド部４は、取っ手部２から近傍に構成しているガイド部４と、取っ手部２から最も遠い箇所にガイド部４が構成されている実施例を示す。このように構成しても良い。
また、図１０、図１１に示すように、上面視フレーム部１は矩形であっても良い。このとき、図１０の実施例は、取っ手部２に対しガイド部４が最も遠い箇所に構成されている。また、図１１の実施例は、取っ手部２と対向する箇所にガイド部４を構成して成る。
また、上記実施例では、排水口には凸部が構成されているが、特に凸部に限定する必要はなく、例えば凹部であったり、ネジ螺合であったり、回転ロックであっても良く、排水口にフレーム部が取り付けられる構成であれば特に問題はない。
また、上記実施例では、排水口５とフレーム部１の取付を係合で行っているが、特に限定するものではなく、ネジ螺合であったり、回転ロックであっても良く、排水口５にフレーム部１が取り付けられる構成であれば特に問題はない。
また、上記実施例では浴室の排水口５に取り付けられているが、特に浴室に限定されるものではなく、例えば洗面台の排水口や台所の排水口に用いられるものでも良い。
【符号の説明】
【００２４】
１    フレーム部
１２  係合部
２    取っ手部
３    捕集部
４    ガイド部
４１  第２ガイド部
５    排水口
５１  凸部
６    排水トラップ
６１  フランジ部材
６２  防臭パイプ
６３  流出口
６４  枝管
Ｅ    エルボ部材
ＹＰ  浴槽パン
Ｙ    浴槽
ＡＰ  洗い場パン
【図１】
0006734507.tif 000002
【図２】
0006734507.tif 000003
【図３】
0006734507.tif 000004
【図４】
0006734507.tif 000005
【図５】
0006734507.tif 000006
【図６】
0006734507.tif 000007
【図７】
0006734507.tif 000008
【図８】
0006734507.tif 000009
【図９】
0006734507.tif 000010
【図１０】
0006734507.tif 000011
【図１１】
0006734507.tif 000012
【図１２】
0006734507.tif 000013